(57)【特許請求の範囲】
【請求項１】
メダルの投入に応じてドラムを回転させることにより当たり外れを判定し、当たりの発生時にメダルを払出すように制御する遊技機制御手段と、この遊技機制御手段から出力される払出し要求信号に応じた枚数のメダルを払出しホッパー内から払出すメダル払出し機構とを有する回胴式遊技機において、上記遊技機制御手段の払出し要求信号に応じて払出されたメダル数に対応した枚数のメダルを上記払出しホッパー内に補給するメダル補給手段と、上記払出しホッパー内に貯留されたメダル量が、通常時のメダル量よりも所定量だけ少ない値に予め設定された基準値以下になったか否かを検出するメダル量検出手段と、このメダル量検出手段によって上記メダル量が基準値以下になったことが検出された場合に、払出し異常の検出信号を出力する異常検出手段とを上記回胴式遊技機に設けたことを特徴とする回胴式遊技機の異常検出装置。
【請求項２】
メダルの投入に応じてドラムを回転させることにより当たり外れを判定し、当たりの発生時にメダルを払出すように制御する遊技機制御手段と、この遊技機制御手段から出力される払出し要求信号に応じた枚数のメダルを払出しホッパー内から払出すメダル払出し機構とを有する回胴式遊技機において、遊技機制御手段から出力された払出し要求信号に応じて払出されたメダルの枚数を累計する累計手段と、この累計手段の累計値が一定値となったことが確認された時点で、この累計値に対応した枚数のメダルを払出しホッパー内に補給するメダル補給手段と、上記払出しホッパー内に貯留されたメダル量が、通常時のメダル量よりも所定量だけ少ない値に予め設定された基準値以下になったか否かを検出するメダル量検出手段と、このメダル量検出手段によって上記メダル量が基準値以下になったことが検出された場合に、異常検出信号を出力する異常検出手段とを上記回胴式遊技機に設けたことを特徴とする回胴式遊技機の異常検出装置。
【発明の詳細な説明】
【０００１】
【発明の属する技術分野】
本発明は、メダルの投入に応じてドラムを回転させることにより当たり外れを判定し、当たりの発生時にメダルを払出すように構成された回胴式遊技機の異常検出装置に関するものである。
【０００２】
【従来の技術】
従来、例えば、特開２０００−７０４４１号公報に示すように、回胴式遊技機（スロットマシン）のメダル払出し口にメダル検知センサ、メダル払出しホッパーにメダル補給センサ、メダル投入口にメダル投入センサをそれぞれ設けるとともに、回胴式遊技機の上部に配置された押しボタンランプ装置内に制御手段を設け、これらのセンサからメダル検知信号、メダル補給信号およびメダル投入信号を出力するほかに、回胴式遊技機からメダルのＩＮ枚数を示すメダルＩＮ信号ならびにメダル払出し枚数を示すメダル払出し信号を出力し、これら複数の信号を制御手段に入力し、この制御手段を介して回胴式遊技機から出たメダル枚数とメダル検知枚数およびメダルのクレジット枚数とからメダル枚数を管理し、異常検出時に異常信号を出力して異常表示を実行するとともに、メダルの補給要求をカットしてメダル補給を停止するようにした回胴式遊技機の自動補給メダル枚数管理システムが知られている。
【０００３】
【発明が解決しようとする課題】
上記のように回胴式遊技機（スロットマシン）に設けられた各センサから出力されたメダル検知信号、メダル補給要求信号およびメダル投入信号と、上記回胴式遊技機から出力されたメダルのＩＮ信号およびメダル払出し要求信号とを、それぞれ制御手段に入力することにより、この制御手段において回胴式遊技機から払出されたメダル枚数とメダル検知枚数およびメダルのクレジット枚数とに基づいてメダルの流れを全て管理するように構成した場合には、正常なクレジットの払出しまたは返却であるにも拘わらず、異常が発生したと誤検出されるのを防止しつつ、メダル払出し口から器具を挿入してメダルを不正に抜き取る等の不正行為を検出することができるという利点がある。
【０００４】
しかし、上記回胴式遊技機の自動補給メダル枚数管理システムでは、回胴式遊技機の各部にそれぞれセンサを設ける必要があるとともに、これらセンサの検出信号と、上記メダル検知枚数およびメダルのクレジット枚数とに基づき、上記遊技機におけるメダルの流れを制御手段で全て管理するように構成されているため、遊技機および制御手段の構造が複雑になるとともに、処理する情報量が膨大になることが避けらず、かつメダルの枚数を検出する上記各センサの検出値に少しでも誤差が生じた場合に、メダルが正常に払出されたにも拘わらず、異常が発生したと誤検出され易いという問題がある。
【０００５】
本発明は、上記の点に鑑みてなされたものであり、簡単な構成で誤検出を生じることなく、メダルの払出し異常があったか否かを適正に検出することができる回胴式遊技機の異常検出装置を提供することを目的としている。
【０００６】
【課題を解決するための手段】
請求項１に係る発明は、メダルの投入に応じてドラムを回転させることにより当たり外れを判定し、当たりの発生時にメダルを払出すように制御する遊技機制御手段と、この遊技機制御手段から出力される払出し要求信号に応じた枚数のメダルを払出しホッパー内から払出すメダル払出し機構とを有する回胴式遊技機において、上記遊技機制御手段の払出し要求信号に応じて払出されたメダル数に対応した枚数のメダルを上記払出しホッパー内に補給するメダル補給手段と、上記払出しホッパー内に貯留されたメダル量が、通常時のメダル量よりも所定量だけ少ない値に予め設定された基準値以下になったか否かを検出するメダル量検出手段と、このメダル量検出手段によって上記メダル量が基準値以下になったことが検出された場合に、払出し異常の検出信号を出力する異常検出手段とを上記回胴式遊技機に設けたものである。
【０００７】
上記構成によれば、当たりの発生時に、遊技機制御手段から出力された払出し要求信号に応じて上記メダル払出し機構により所定数のメダルが払出されると、この払出し枚数に対応したメダルが上記メダル補給手段により払出しホッパー内に補給されるため、回胴式遊技機が正常に作動していれば、上記払出しホッパー内には、常に一定量以上のメダルが蓄えられる。これに対して、上記遊技機制御手段から払出し要求信号が出力されていないにも拘わらず、不正操作によってメダルが払出される等の払出し異常が発生した場合には、上記メダル補給手段によるメダルの補給は行われないので、メダル払出しホッパー内のメダル量が、通常時のメダル量よりも所定量だけ少ない値に予め設定された基準値以下に減少した時点で、異常検出手段において上記回胴式遊技機の不正操作または故障が発生したことが検出され、異常検出信号が警告報知部等に出力されることになる。
【０００８】
請求項２に係る発明は、メダルの投入に応じてドラムを回転させることにより当たり外れを判定し、当たりの発生時にメダルを払出すように制御する遊技機制御手段と、この遊技機制御手段から出力される払出し要求信号に応じた枚数のメダルを払出しホッパー内から払出すメダル払出し機構とを有する回胴式遊技機において、遊技機制御手段から出力された払出し要求信号に応じて払出されたメダルの枚数を累計する累計手段と、この累計手段の累計値が一定値となったことが確認された時点で、この累計値に対応した枚数のメダルを払出しホッパー内に補給するメダル補給手段と、上記払出しホッパー内に貯留されたメダル量が、通常時のメダル量よりも所定量だけ少ない値に予め設定された基準値以下になったか否かを検出するメダル量検出手段と、このメダル量検出手段によって上記メダル量が基準値以下になったことが検出された場合に、異常検出信号を出力する異常検出手段とを上記回胴式遊技機に設けたものである。
【０００９】
上記構成によれば、当たりの発生時に、上記払出しホッパー内のメダルを払出す操作が繰り返されて所定数のメダルが払出されたことが、上記累計手段の累計値に応じて確認された時点で、上記メダル補給手段により払出しホッパー内に上記所定数のメダルが補給されるため、回胴式遊技機が正常であれば、上記払出しホッパー内のメダル量が所定値未満に低下することはない。これに対して、上記遊技機制御手段から払出し要求信号が出力されていないにも拘わらず、不正操作によってメダルを払出すが払出し異常が連続して発生した場合には、上記メダル補給手段によるメダルの補給は行われないので、上記メダル払出しホッパー内のメダル量が、通常時のメダル量よりも所定量だけ少ない値に予め設定された基準値以下に減少した時点で、異常検出手段において上記回胴式遊技機の不正操作または故障が発生したことが検出され、異常検出信号が警告報知部等に出力されることになる。
【００１０】
【発明の実施の形態】
図１は、本発明の第１実施形態に係る異常検出装置を有する回胴式遊技機の概略構成を示している。上記回胴式遊技機１は、遊技者用のメダルが投入されるメダル投入部２と、遊技者のハンドル操作等に応じて回転する複数のドラム３と、このドラム３の回転に応じて当たりが発生したときに払出されるメダルを貯留する払出しホッパー４と、この払出しホッパー４内のメダルを必要に応じて受け皿５上に払出す従来周知のメダル払出し機構６とを有し、複数台の回胴式遊技機１が並列に設置されている。
【００１１】
上記各回胴式遊技機１の上方には、補給用のメダルを搬送する搬送コンベア７と、この搬送コンベア７により搬送されたメダルを必要に応じて上記払出しホッパー４内に補給するメダル補給手段８とが配設されている。このメダル補給手段８は、上記搬送コンベア７から補給されたメダルを貯留する補給ホッパー８ａと、上記メダル払出し機構６によって払出されたメダル数と同数のメダルを計量して上記補給ホッパー８ａから上記払出しホッパー４内に供給する計量供給機構８ｂと、この計量供給機構８ｂから供給されたメダルを上記払出しホッパー４内に案内にするガイド部８ｃとを備えている。
【００１２】
上記計量供給機構８ｂの具体的構成としては、補給ホッパー８ａ内のメダルを一枚ずつ取り出して供給するメダル供給部と、このメダル供給部によって供給されたメダルの枚数をカウントするカウント部とを設け、このカウント部におけるメダルのカウント値が、上記メダルの払出し枚数と一致した時点で、上記供給部によるメダルの供給を停止する構造等が考えられる。
【００１３】
また、上記各回胴式遊技機１の下方には、上記メダル投入部２から投入されたメダルを回収する回収コンベア１０が配設されている。そして、この回収コンベア１０によって回収されたメダルは、上記搬送コンベア７の上流端部と回収コンベア１０の下流端部とを連結するように設置されたリフト機構１１により、上記搬送コンベア７上に持ち上げられて、各回胴式遊技機１に再補給されるようになっている。
【００１４】
また、上記回胴式遊技機１には、図２に示すように、メダルの投入に応じてドラム３を回転させることにより当たり外れを判定し、当たりの発生時に、機体内に設けられた上記払出しホッパー４内のメダルを受け皿５上に払出すように制御する遊技機制御手段１２と、上記払出しホッパー４内に貯留されたメダル量が基準値以下になったか否かを検出するメダル量検出手段１３と、このメダル量検出手段１３によって上記メダル量が基準値以下になったことが検出された場合に、異常検出信号を出力する異常検出手段１４とを有する異常検出装置が設けられている。
【００１５】
上記遊技機制御手段１２は、当たりの発生時に、所定数のメダルを払い出すように指示する払出し要求信号を上記メダル払出し機構６に出力することにより、上記当たりの状態に対応した枚数のメダルを上記払出しホッパー４内から受け皿５上に払出す制御を実行するように構成されている。また、上記払出し要求信号に対応して払出されたメダル数と同数のメダルを払出しホッパー４内に補給することを指示する補給指示信号が、上記遊技機制御手段１２からメダル補給手段８に出力されることにより、上記払出し枚数と同数のメダルが払出しホッパー４内に補給されるようになっている。この結果、上記払出しホッパー４内に貯留されたメダル量は、常時一定量に保持されることになる。
【００１６】
上記メダル量検出手段１３は、例えば図４に示すように、払出しホッパー４内に光を照射するフォトダイオード１３ａと、その照射光を受光するフォトレジスタ１３ｂとからなるフォトセンサを有し、上記照射光の受光状態に応じて上記払出しホッパー４内に貯留されたメダルの上端位置が予め定められた基準位置よりも低くなったか否かを検出し、この検出信号を上記異常検出手段１４に出力するように構成されている。
【００１７】
上記メダル量検出手段１３によって検出されるメダル量の基準値は、回胴式遊技機１が正常に作動している場合に、メダルが減少することがあり得ない値に設定されている。これによって、上記メダル量検出手段１３の検出信号に応じ、何らかの異常が原因で払出しホッパー４内のメダル量が減少したことが、上記異常検出手段１４において検出されるようなっている。
【００１８】
すなわち、上記当たりの発生時に、払出しホッパー４内のメダルが払出されることにより、上記メダル量が一時的に減少するが、これと略同時に上記メダル補給手段８によるメダルの補給が行われるので、通常は上記払出しホッパー４内のメダル量が極端に減少することはない。したがって、上記メダル量検出手段１３によって検出されるメダル量の基準値を、通常時のメダル貯留量よりも所定量だけ少ない値に予め設定しておくことにより、上記払出し異常の発生が適正に検出することが可能となる。
【００１９】
なお、上記フォトセンサからなるメダル量検出手段１３に代え、図５に示すように、払出しホッパー４の内壁面に設置された左右一対の電極１３ｃ，１３ｄの間における電流の導通状態を検知する電流計等からなるメダル量検出手段を設け、この電流の導通状態に応じて上記払出しホッパー４内に貯留されたメダル量が基準値以下となったか否かを検出し、あるいは上記払出しホッパー４内に貯留されたメダルの重量を計測する重量計を有するメダル量検出手段を設け、このメダル量検出手段において、上記メダル重量の計測値と、予め設定された一定値とを比較することにより、上記メダル量が基準値以下となったか否かを検出するようにしてもよい。
【００２０】
また、上記異常検出手段１４は、メダル量検出手段１３の検出信号に応じてメダルの払出し異常があったことを検出した場合に、所定位置に設置された異常表示ランプ１５等からなる警告報知部と、複数の回胴式遊技機１を総合して制御するホストコンピュータ１６とに、それぞれ異常検出信号を出力するように構成され、これにより上記異常表示ランプ１５を点灯させて、異常の発生を遊技場の店員に報知する等の制御が実行されるようになっている。
【００２１】
上記構成において、遊技者が回胴式遊技機１のメダル投入部２に遊技用のメダルを投入したことが、図外のセンサによって検出されると、上記回胴式遊技機１が遊技可能な状態となるとともに、投入されたコインがメダル投入部２から上記回収コンベア１０上に導出されて回収される。そして、遊技者が回胴式遊技機１に設けられた操作ハンドルを操作する等により、遊技が開始されて上記ドラム３が回転し、遊技機制御手段１２において当たりが発生したか否かが判定される。
【００２２】
上記遊技機制御手段１２において、ドラム３の数字または絵柄が揃う等の当たりが発生したことが確認された場合には、上記払出し要求信号が出力されることにより、上記メダル払出し機構６が作動状態となって、上記当たりに対応した枚数のメダルが上記払出しホッパー４内から受け皿５上に払出されるとともに、上記メダル補給手段８が作動状態となって、上記払出されたメダル数に対応した枚数のメダルが上記払出しホッパー４内に補給される。
【００２３】
そして、上記メダル量検出手段１３の検出信号に応じ、メダルの払出し異常があったか否かが上記異常検出手段１４において常時、または定期的に検出され、メダルの払出し異常があったことが検出された場合には、上記異常表示ランプ１５を点灯させることにより、上記異常の発生を報知する等の制御が実行されるとともに、上記ホストコンピュータ１６に出力された異常検出信号に応じて、該当する回胴式遊技機１による遊技を禁止する等の制御が実行される。
【００２４】
上記のようにメダルの投入に応じてドラム３を回転させることにより当たり外れを判定し、当たりの発生時にメダルを払出すように制御する遊技機制御手段１２と、この遊技機制御手段１２から出力される払出し要求信号に応じた枚数のメダルを払出しホッパー４内から払出すメダル払出し機構６とを有する回胴式遊技機１において、上記遊技機制御手段１２の払出し要求信号に応じて払出されたメダル数に対応した枚数のメダルを上記払出しホッパー４内に補給するメダル補給手段８と、上記払出しホッパー４内に貯留されたメダル量が基準値以下になったか否かを検出するメダル量検出手段１３と、このメダル量検出手段１３によって上記払出しホッパー４内のメダル量が、通常時のメダル量よりも所定量だけ少ない値に予め設定された基準値以下になったことが検出された場合に、異常検出信号を出力する異常検出手段１４とを設けたため、簡単な構成で誤検出を生じることなく、メダルの払出し異常があったか否かを適正に検出することができる。
【００２５】
すなわち、上記のように遊技機制御手段１２から出力された払出し要求信号に応じ、上記メダル払出し機構６によって払出しホッパー４内から払出されたメダル数に対応した枚数のメダルを、上記メダル補給手段８によって払出しホッパー４内に常時補給するように構成したため、上記遊技機制御手段１２から払出し要求信号が出力されることなくメダルが払出される等の払出し異常、例えば上記回胴式遊技機１の払出し口等から器具を挿入してメダルを不正に抜き取ったり、上記メダル払出し機構６を強制的に作動させてメダルを払出したりする等の不正操作が行われ、あるいは上記メダル払出し機構６等の故障が発生した場合に、上記メダル払出しホッパー４内のメダル量が上記基準値以下に減少することになる。
【００２６】
したがって、上記回胴式遊技機１におけるメダルの流れを全て管理する等の複雑な構成を採用したり、上記回胴式遊技機１の制御内容に大幅な変更を加えたりすることなく、上記メダル量検出手段１３の検出信号のみに応じ、メダルの払出し異常があったか否かを上記異常検出手段１４において簡単かつ正確に検出して、上記不正操作が行われ、あるいは上記メダル払出し機構６等の故障が発生した時に、異常検出信号を異常表示ランプ１５に出力する等の制御を適正に実行することができる。
【００２７】
しかも、上記払出し異常があったか否かの検出基準となる基準値、つまり上記メダル量検出手段１３によって検出されるメダル量の基準値を、上記払出しホッパー４内に貯留される通常時のメダル量よりも、予め所定量だけ少ない値に設定しておくことにより、上記メダル量検出手段１３の検出値や、上記メダル補給手段８から払出しホッパー４内に補給されるメダルの補給量等に、多少の誤差があった場合においても、直ちに異常検出信号が出力されることがなく、メダルの払出し異常が所定回数に亘って繰り返された時点で、異常検出信号が出力されることになる。このため、上記検出誤差に起因した誤検出を防止しつつ、上記メダル量検出手段１３の検出信号に応じてメダルの払出し異常が発生したか否かを正確に検出することができる。
【００２８】
さらに、上記実施形態では、メダル投入部２から投入されたメダルを上記払出しホッパー４内に供給することなく、上記回収コンベア１０上に導出するように構成したため、上記メダルの投入枚数の影響を受けることなく、上記メダル量検出手段１３の検出値に応じて上記払出し異常を適正に検出することができるという利点がある。
【００２９】
なお、上記メダル投入部２から投入されたメダルを上記払出しホッパー４内に供給するように構成してもよい。この場合には、上記メダル補給手段８によって払出しホッパー４内にメダルを補給する際に、このメダルの補給枚数を、上記メダル払出し機構６により払出されたメダルの払出し枚数から、上記メダルの投入枚数を減算した値に設定することにより、上記払出しホッパー４内に貯留されたメダル量を一定値に保持することができる。
【００３０】
また、上記実施形態では、異常検出手段１４により払出し異常があったことが検出された場合に、上記異常表示ランプ１５からなる警告表示部により警告表示を行うように構成したため、上記回胴式遊技機１の不正操作または故障等の異常発生時に、この異常事態を店員に効果的に認識させて、上記不正操作等に起因した被害を最小限に抑えることができるという利点がある。
【００３１】
なお、上記異常検出手段１４において払出し異常があったことが検出された場合に、警告音を発する警告音発生手段を設けてもよい。また、各回胴式遊技機１に設けられた上記異常検出手段１４からホストコンピュータ１６に出力される異常検出信号に応じ、該当する回胴式遊技機１に対するメダルの補給を停止させるように構成し、あるいは回胴式遊技機１の作動を停止させる制御を実行することが望ましい。
【００３２】
上記実施形態では、当たりの発生状態に対応した枚数のメダルを、上記払出しホッパー４内から受け皿５上に払い出すように構成された回胴式遊技機１に、本発明に係る異常検出装置を適用した例について説明したが、メダル投入部２から余分に投入されたメダルの枚数及び当たりの発生時に精算されることなく保留されたメダルの枚数を、一定値（例えば５０枚）を限度として記憶することにより保留するクレジット手段と、この保留されたメダルの払出しを指示する精算ボタンからなる精算指示手段とを備え、当たりの発生時に、上記クレジット手段において記憶された値を減算した枚数のメダルを払出すとともに、上記精算指示があった場合に、クレジット手段に記憶された枚数のメダルを払出すように構成された遊技機についても本発明を適用可能である。
【００３３】
この場合には、上記メダル払出し機構６によって実際に払出されるメダル数、つまり上記当たりの発生時に、クレジット手段において記憶される値を減算したメダル数、または上記精算時に、クレジット記憶手段に記憶されたメダル数に対応した枚数のメダルを、上記メダル補給手段８により払出しホッパー４内に補給して、この払出しホッパー４内のメダル量が常時一定量となるように構成することにより、上記メダル量検出手段１３の検出値に基づき、メダルの払出し異常があったか否かを上記異常検出手段１４において適正に検出することができる。
【００３４】
すなわち、上記クレジット手段に保留されたメダルの精算による正常な払出しが行われたにも拘わらず、不正等が行われたと誤検出されるのを防止しつつ、上記当たりの発生でもなく、メダルの精算でもないのに、上記メダルの払出しが繰り返して行われるという通常では考えられない事態が発生した場合に、異常であると判定することにより、上記回胴式遊技機１の不正操作または故障が発生したことを適正に検出することができる。
【００３５】
図３は、本発明に係る回胴式遊技機１の異常検出装置の第２実施形態を示している。この異常検出装置は、当たりの発生時に、上記遊技機制御手段１２から出力された払出し要求信号に応じて上記メダル払出し機構６により払出されたメダル数に対応した枚数のメダルを累計する累計手段１７と、この累計手段１７の累計値が予め設定された基準値となった時点で、この累計値に対応した枚数のメダルを上記払出しホッパー４内に補給するメダル補給手段８と、上記払出しホッパー４内に貯留されたメダル量が基準値以下になったことを検出するメダル量検出手段１３と、このメダル量検出手段１３によって払出しホッパー４内に貯留されたメダル量が基準値以下になったことが検出された場合に、メダルの払出し異常があったと判定して異常検出信号を出力する異常検出手段１４とを備えている。
【００３６】
上記構成において、当たりの発生時に、上記払出しホッパー４内のメダルを払出す操作が繰り返されて所定数のメダルが払出されたことが、上記累計手段１７の累計値に応じて確認された時点で、上記メダル補給手段８により払出しホッパー４内に上記所定数のメダルが補給されるため、上記回胴式遊技機１が正常であれば、上記払出しホッパー４内のメダル量が所定値未満に低下することはない。
【００３７】
これに対して、上記遊技機制御手段１２から払出し要求信号が出力されていないにも拘わらず、不正操作によってメダルが連続して払出される等の払出し異常が発生した場合には、上記メダル補給手段８によるメダルの補給は行われないので、上記メダル払出しホッパー４内のメダル量が基準値以下に減少した時点で、異常検出手段１４において上記回胴式遊技機１の不正操作または故障が発生したと判定され、異常検出信号が警告報知部等に出力されることになる。
【００３８】
したがって、上記回胴式遊技機１におけるメダルの流れを全て管理する等の複雑な構成を採用したり、上記回胴式遊技機１の制御内容に大幅な変更を加えたりすることなく、上記メダル量検出手段１３の検出信号のみに応じ、メダルの払出し異常があったか否かを上記異常検出手段１４において簡単かつ正確に検出して、異常発生時に、異常検出信号を異常表示ランプ１５に出力する等の制御を適正に実行することができる。
【００３９】
しかも、上記払出し異常があったか否かの検出基準となる基準値、つまり上記メダル量検出手段１３によって検出されるメダル量の基準値を、上記メダル補給手段８によるメダルの補給が行われる前のメダル量よりも、予め所定量だけ少ない値に設定しておくことにより、上記メダル量検出手段１３の検出値等に、多少の誤差があった場合においても、直ちに上記異常検出信号をすることなく、上記不正操作等によるメダルの払出しが所定回数に亘って繰り返された時点で、異常検出信号を出力することができる。したがって、上記検出誤差に起因した誤検出を防止しつつ、上記メダル量検出手段１３の検出信号に応じてメダルの払出し異常が発生したか否かを正確に検出することができる。
【００４０】
また、上記第２実施形態では、累計手段１７の累計値が予め設定された基準値となった時点で、この累計値に対応した枚数のメダルを上記メダル補給手段８により払出しホッパー４内に補給するように構成したため、上記メダル払出し機構６によるメダルの払出しが行われる度に、メダルの補給を行うように構成された上記第１実施形態に比べ、メダルの補給回数を減少させて、メダルの補給操作を簡略化できるという利点がある。
【００４１】
【発明の効果】
以上の説明したように、請求項１に係る発明は、メダルの投入に応じてドラムを回転させることにより当たり外れを判定し、当たりの発生時にメダルを払出すように制御する遊技機制御手段と、この遊技機制御手段から出力される払出し要求信号に応じた枚数のメダルを払出しホッパー内から払出すメダル払出し機構とを有する回胴式遊技機において、上記遊技機制御手段の払出し要求信号に応じて払出されたメダル数に対応した枚数のメダルを上記払出しホッパー内に補給するメダル補給手段と、上記払出しホッパー内に貯留されたメダル量が、通常時のメダル量よりも所定量だけ少ない値に予め設定された基準値以下になったか否かを検出するメダル量検出手段と、このメダル量検出手段によって上記メダル量が基準値以下になったことが検出された場合に、払出し異常の検出信号を出力する異常検出手段とを上記回胴式遊技機に設けたため、上記回胴式遊技機におけるメダルの流れを全て管理する等の複雑な構成を採用したり、上記回胴式遊技機の制御内容に大幅な変更を加えたりすることなく、上記メダル量検出手段の検出信号のみに応じ、メダルの払出し異常があったか否かを上記異常検出手段において簡単かつ正確に検出できるという利点がある。
【００４２】
また、請求項２に係る発明は、メダルの投入に応じてドラムを回転させることにより当たり外れを判定し、当たりの発生時にメダルを払出すように制御する遊技機制御手段と、この遊技機制御手段から出力される払出し要求信号に応じた枚数のメダルを払出しホッパー内から払出すメダル払出し機構とを有する回胴式遊技機において、遊技機制御手段から出力された払出し要求信号に応じて払出されたメダルの枚数を累計する累計手段と、この累計手段の累計値が一定値となったことが確認された時点で、この累計値に対応した枚数のメダルを払出しホッパー内に補給するメダル補給手段と、上記払出しホッパー内に貯留されたメダル量が、通常時のメダル量よりも所定量だけ少ない値に予め設定された基準値以下になったか否かを検出するメダル量検出手段と、このメダル量検出手段によって上記メダル量が基準値以下になったことが検出された場合に、異常検出信号を出力する異常検出手段とを上記回胴式遊技機に設けたため、上記回胴式遊技機におけるメダルの流れを全て管理する等の複雑な構成を採用したり、上記回胴式遊技機の制御内容に大幅な変更を加えたりすることなく、上記メダル量検出手段の検出信号のみに応じ、メダルの払出し異常があったか否かを上記異常検出手段において簡単かつ正確に検出できるとともに、上記メダル払出し機構によるメダルの払出しが行われる度に、上記メダルの補給を行うように構成した場合に比べ、メダルの補給回数を減少させて、メダルの払出操作を簡略化できるという利点がある。
【図面の簡単な説明】
【図１】  本発明に係る異常検出装置を備えた回胴式遊技機の構成を示す説明図である。
【図２】  本発明に係る異常検出装置の実施形態を示すブロック図である。
【図３】  本発明に係る異常検出装置の別の実施形態を示すブロック図である。
【図４】  メダル量検出手段の具体的構成を示す説明図である。
【図５】  メダル量検出手段の他の具体的例を示す説明図である。
【符号の説明】
１  回胴式遊技機
２  メダル投入部
３  ドラム
４  払出しホッパー
５  受け皿
６  メダル払出し機構
８  メダル補給手段
１２  遊技機制御手段
１３  メダル量検出手段
１４  異常検出手段
１７  累計手段
【図１】
0004856315.tif 000002
【図２】
0004856315.tif 000003
【図３】
0004856315.tif 000004
【図４】
0004856315.tif 000005
【図５】
0004856315.tif 000006